(57)【要約】【課題】  番組ガイドコンテンツを聴覚表示する方法、装置、およびシステムを提供すること。【解決手段】  本発明は、あるオーディオ出力デバイスにて番組ガイドを聴覚表示し、かつ、別のオーディオ出力デバイスにて番組のオーディオ成分を聴覚表示することによって、課題を満たす。番組ガイドコンテンツは、番組ガイド、およびオーディオ成分を有する番組を受信し、少なくとも２つのオーディオ出力デバイスの１つにてオーディオ成分を聴覚表示し、かつ、オーディオ成分の聴覚表示と並行して、少なくとも２つのオーディオ出力の別の１つにて番組ガイドを聴覚表示することによって表示される。【選択図】  図１
2004297799.tif 000002
【特許請求の範囲】
【請求項１】
番組ガイドコンテンツを表示する方法であって、
番組ガイド、およびオーディオ成分を有する番組を受信器にて受信するステップであって、該受信器は、少なくとも２つのオーディオ出力デバイスに結合されるように構成される、ステップと、
該少なくとも２つのオーディオ出力デバイスの１つにて表示するために該オーディオ成分を利用するステップと、
該オーディオ成分の聴覚表示と同時に、該少なくとも２つのオーディオ出力デバイスの別の１つにて表示するために該番組ガイドを利用するステップと
を包含する、方法。
【請求項２】
前記番組ガイドを信号から抽出するステップと、
該番組ガイドのテキスト表現を取得するために、該抽出された番組ガイドをデコードするステップと、
該番組ガイドを利用する前に、該番組ガイドの該テキスト表現をオーディオフォーマットに変換するステップと
をさらに包含する、請求項１に記載の方法。
【請求項３】
前記少なくとも２つのオーディオ出力デバイスの別の１つは、ワイヤレスインターフェースを備え、前記方法は、
該番組ガイドを該オーディオ出力デバイスの別の１つにワイヤレスで送信するステップをさらに包含する、請求項１に記載の方法。
【請求項４】
前記少なくとも２つのオーディオ出力デバイスの１つにて聴覚表示するために、前記オーディオ成分および前記番組ガイドの一方を選択するステップと、
該少なくとも２つのオーディオ出力デバイスの別の１つにて聴覚表示するために、該オーディオ成分および該番組ガイドのもう一方を選択するステップと
をさらに包含する、請求項１に記載の方法。
【請求項５】
前記番組は、ビデオ成分をさらに有し、前記方法は、
前記オーディオ成分および前記番組ガイドの前記聴覚表示と同時にビデオ出力デバイス上に表示するために、該ビデオ成分を利用するステップをさらに包含する、請求項１に記載の方法。
【請求項６】
番組ガイドコンテンツを表示するシステムであって、該システムは、
番組ガイド、およびオーディオ成分を有する番組を受信器にて受信する手段であって、該受信器は、少なくとも２つのオーディオ出力デバイスに結合するように構成される、手段と、
該オーディオ成分を該少なくとも２つのオーディオ出力デバイスの１つにて聴覚表示する手段と、
該オーディオ成分の該聴覚表示と同時に、該少なくとも２つのオーディオ出力デバイスの別の１つにて該番組ガイドを聴覚表示する手段と
を備える、システム。
【請求項７】
前記番組ガイドを抽出する手段と、
該番組ガイドのテキスト表現を取得するために、該抽出された番組ガイドをデコードする手段と、
該番組ガイドを聴覚表示する前に、該番組ガイドの該テキスト表現をオーディオフォーマットに変換する手段と
をさらに備える、請求項６に記載のシステム。
【請求項８】
前記少なくとも２つのオーディオ出力デバイスの別の１つは、ワイヤレスインターフェース手段を備え、前記システムは、
前記番組ガイドを該少なくとも２つのオーディオ出力デバイスの別の１つにワイヤレスで送信する手段をさらに備える、請求項６に記載のシステム。
【請求項９】
前記少なくとも２つのオーディオ出力デバイスの１つにて聴覚表示するために、前記オーディオ成分および前記番組ガイドの一方を選択する手段と、
該少なくとも２つのオーディオ出力デバイスの別の１つにて聴覚表示するために、該オーディオ成分および該番組ガイドのもう一方を選択する手段と
をさらに備える、請求項６に記載のシステム。
【請求項１０】
前記番組は、ビデオ成分をさらに有し、前記システムは、
前記オーディオ成分および前記番組ガイドの聴覚表示と同時にビデオ出力デバイスにて該ビデオ成分を視覚表示する手段をさらに備える、請求項６に記載のシステム。
【請求項１１】
番組ガイドコンテンツを表示する装置であって、該装置は、
番組ガイドおよびオーディオ成分を受信するように構成された受信器と、
該番組ガイドおよび該オーディオ成分を同時に聴覚表示するように構成された少なくとも２つのオーディオ出力デバイスであって、該少なくとも２つのオーディオ出力デバイスは、該受信器に結合するように構成され、これにより、該少なくとも２つのオーディオ出力デバイスの１つは、該番組ガイドおよび該オーディオ成分の一方を聴覚表示し、該少なくとも２つのオーディオ出力デバイスの別の１つは、該番組ガイドおよび該オーディオ成分のもう一方を聴覚表示する、デバイスと
を備える、装置。
【請求項１２】
前記受信器は、少なくとも、
番組ガイドデータベースと、
該番組ガイドデータベースから抽出された情報をデコードして、該番組ガイドのテキスト表現を取得するデコーダと、
該番組ガイドの聴覚表示の前に、該番組ガイドの該テキスト表現をオーディオフォーマットに変換するテキスト／音声変換器と
を備える、請求項１１に記載の装置。
【請求項１３】
前記少なくとも２つのオーディオ出力デバイスの１つは、少なくともワイヤレスインターフェースを備え、前記受信器は、少なくとも、
該ワイヤレスインターフェースを備える該少なくとも２つのオーディオ出力デバイスの１つに該番組ガイドを送信するワイヤレス送信器を備える、請求項１１に記載の装置。
【請求項１４】
前記少なくとも２つのオーディオ出力デバイスの１つは、リモコンである、請求項１３に記載の装置。
【請求項１５】
前記受信器は、少なくとも、
前記少なくとも２つのオーディオ出力デバイスの１つにて聴覚表示するために、前記オーディオ成分および前記番組ガイドの一方を選択し、かつ、該少なくとも２つのオーディオ出力デバイスの別の１つにて聴覚的に表示するために、該オーディオ成分および該番組ガイドのもう一方を選択する選択信号に応答する選択回路と、
該選択信号を生成するスイッチと
を備える、請求項１１に記載の装置。
【請求項１６】
前記受信器は、前記オーディオ成分に対応するビデオ成分を受信するようにさらに構成され、前記装置は、
該ビデオ成分を該オーディオ成分と同時に視覚表示するビデオ出力デバイスであって、該受信器に結合されるように構成される、ビデオ出力デバイスをさらに備える、請求項１１に記載の装置。
【請求項１７】
前記ビデオ出力デバイス、および前記少なくとも２つのオーディオ出力デバイスの１つは、共通のハウジングと物理的に結合され、該少なくとも２つのオーディオ出力デバイスの別の１つは、リモートハウジングと物理的に結合される、請求項１６に記載の装置。
【請求項１８】
番組ガイドコンテンツを表示する装置であって、該装置は、
番組ガイド、およびオーディオ成分とビデオ成分とを有する番組を受信するように構成された受信器と、
該番組ガイドおよび該オーディオ成分を同時に聴覚表示するように構成された少なくとも２つのオーディオ出力デバイスであって、該少なくとも２つのオーディオ出力デバイスは、該受信器に結合するように構成され、これにより、該少なくとも２つのオーディオ出力デバイスの１つは、該番組ガイドおよび該オーディオ成分の一方を聴覚表示し、該少なくとも２つのオーディオ出力デバイスの別の１つは、該番組ガイドおよび該オーディオ成分のもう一方を聴覚表示する、デバイスと、
該ビデオ成分を該オーディオ成分と同時に視覚表示するように構成されたビデオ出力デバイスであって、該受信器に結合するように構成される、ビデオ出力デバイスと
を備える、装置。
【請求項１９】
前記受信器は、少なくとも、
前記少なくとも２つのオーディオ出力デバイスの１つにて聴覚表示するために、前記オーディオ成分および前記番組ガイドの一方を選択し、かつ、該少なくとも２つのオーディオ出力デバイスの別の１つにて聴覚表示するために、該オーディオ成分および該番組ガイドのもう一方を選択する選択信号に応答する選択回路と、
該選択信号を生成するスイッチと
を備える、請求項１８に記載の装置。
【請求項２０】
前記受信器は、少なくとも、
ＶＢＩ、帯域外チャネル、電話線、またはインターネットのいずれかから前記番組ガイドを抽出する回路と、
該番組ガイドのテキスト表現を取得するために、該抽出された番組ガイドをデコードする、デコーダと、
該番組ガイドを聴覚表示する前に、該番組ガイドの該テキスト表現をオーディオフォーマットに変換するテキスト／音声変換器と
を備える、請求項１８に記載の装置。
【請求項２１】
番組ガイドコンテンツを表示する装置であって、該装置は、
番組ガイド、およびオーディオ成分とビデオ成分とを有する番組を受信するように構成された受信器と、
第１の選択信号に応答する複数のオーディオデバイスであって、該複数のオーディオデバイスのうちの少なくとも１つは、選択的に、該番組ガイドを聴覚表示するように構成され、該複数のオーディオデバイスのうちの少なくとも別の１つは、選択的に、該オーディオ成分を聴覚表示するように構成され、該番組ガイドおよび該オーディオ成分は、該複数のオーディオデバイスの各々から同時に聴覚表示され得る、複数のオーディオデバイスと、
第２の選択信号に応答するビデオデバイスであって、該ビデオデバイスは、該ビデオ成分を該オーディオ成分と同時に視覚表示するように構成され、かつ、選択的に、該番組ガイドを視覚表示するように構成される、ビデオデバイスと、
該第１および該第２の選択信号を生成して、これにより、該番組ガイドは、複数のオーディオデバイスのうちの少なくとも１つのみ、該ビデオデバイスのみ、あるいは、該複数のオーディオデバイスのうちの少なくとも１つおよび該ビデオデバイスの両方から表示される、選択回路と、
該制御信号を生成するスイッチと
を備える、装置。
【発明の詳細な説明】
【技術分野】
【０００１】
（発明の分野）
本発明は、電子番組ガイドの分野に関し、より具体的には、番組ガイドコンテンツを聴覚表示する方法、システム、および装置に関する。
【背景技術】
【０００２】
（発明の背景）
現在、例えば、ブロードキャスト、ケーブルおよび衛星等のほとんどのテレビソースに関するテレビ放映予定情報といったコンテンツを含む電子番組ガイド（ＥＰＧ）が利用可能である。ＥＰＧは、通常、ＮＴＳＣテレビ信号の垂直帰線消去期間（ＶＢＩ）を通じてか、または、例えば、帯域外チャネル等の別個のチャネルで送信される。現在、セットトップボックスまたはテレビにおいて見られる受信器のような多くのテレビ受信器は、テレビ受信器と関連したビデオディスプレイ上に視覚表示するために送信されたＥＰＧを受信およびデコードすることができる。ＥＰＧのコンテンツは、通常、１人の視聴者のリクエストに対して、ビデオディスプレイの少なくとも一部分を覆い隠すビデオフォーマットで表示される。多くのＥＰＧにおいて、視聴者は、リモコンを用いて、表示されたコンテンツから番組を選択することによってＥＰＧのコンテンツを走査し、かつ、目的の番組にチューニングすることができる。
【０００３】
多くのテレビ視聴者は、ＥＰＧコンテンツの視覚表示に気をとられ、これは、これらの視聴者の視聴の楽しみを減退させる。視覚表示は、特に、ＥＰＧコンテンツをリクエストしない視聴者を苛立たせる。例えば、複数の視聴者がテレビ番組を見ており、かつ、これらの視聴者の１人がＥＰＧコンテンツをリクエストした場合、すべての視聴者は、ＥＰＧコンテンツを所望するかしないかに関わらず、ＥＰＧコンテンツによって生成される視覚的混乱にさらされる。
【０００４】
ＥＰＧコンテンツを表示する場合、ビデオディスプレイが覆い隠されるという問題に対処するあるシステムは、ＥＰＧコンテンツを聴覚表示することを含む。これらのシステムにおいて、ＥＰＧコンテンツは、オーディオ信号に変換され、その後、番組のオーディオ成分を置換するか、または、番組のオーディオ成分とミキシングされる。このようなシステムは、本出願と同一人に譲渡された特許文献１に記載される。このタイプのシステムのＥＰＧコンテンツは、番組のオーディオ成分の少なくとも一部分を不明瞭にする。多くのテレビ視聴者は、ＥＰＧコンテンツのオーディオ表示に気を取られ、これは、これらのテレビ視聴者の番組の楽しみを減退させ、かつ、これらの視聴者がＥＰＧコンテンツをリクエストしたかしないかに関わらずＥＰＧコンテンツによって生成されたオーディオ的混乱にさらされる視聴者を特に苛立たせる。
【特許文献１】米国特許第６，０２０，８８０号明細書
【発明の開示】
【発明が解決しようとする課題】
【０００５】
従って、ＥＰＧコンテンツを表示するための、あまり混乱させない方法、システム、および装置が必要とされる。本発明は、特に、この必要を満たす。
【課題を解決するための手段】
【０００６】
本発明により、番組ガイドコンテンツを表示する方法であって、番組ガイド、およびオーディオ成分を有する番組を受信器にて受信するステップであって、該受信器は、少なくとも２つのオーディオ出力デバイスに結合されるように構成される、ステップと、該少なくとも２つのオーディオ出力デバイスの１つにて表示するために該オーディオ成分を利用するステップと、該オーディオ成分の聴覚表示と同時に、該少なくとも２つのオーディオ出力デバイスの別の１つにて表示するために該番組ガイドを利用するステップとを包含する、方法が提供され、これにより、上記目的が達成される。
【０００７】
前記番組ガイドを信号から抽出するステップと、該番組ガイドのテキスト表現を取得するために、該抽出された番組ガイドをデコードするステップと、該番組ガイドを利用する前に、該番組ガイドの該テキスト表現をオーディオフォーマットに変換するステップとをさらに包含してもよい。
【０００８】
前記少なくとも２つのオーディオ出力デバイスの別の１つは、ワイヤレスインターフェースを備え、前記方法は、該番組ガイドを該オーディオ出力デバイスの別の１つにワイヤレスで送信するステップをさらに包含してもよい。
【０００９】
前記少なくとも２つのオーディオ出力デバイスの１つにて聴覚表示するために、前記オーディオ成分および前記番組ガイドの一方を選択するステップと、該少なくとも２つのオーディオ出力デバイスの別の１つにて聴覚表示するために、該オーディオ成分および該番組ガイドのもう一方を選択するステップとをさらに包含してもよい。
【００１０】
前記番組は、ビデオ成分をさらに有し、前記方法は、前記オーディオ成分および前記番組ガイドの前記聴覚表示と同時にビデオ出力デバイス上に表示するために、該ビデオ成分を利用するステップをさらに包含してもよい。
【００１１】
本発明により、番組ガイドコンテンツを表示するシステムであって、該システムは、番組ガイド、およびオーディオ成分を有する番組を受信器にて受信する手段であって、該受信器は、少なくとも２つのオーディオ出力デバイスに結合するように構成される、手段と、該オーディオ成分を該少なくとも２つのオーディオ出力デバイスの１つにて聴覚表示する手段と、該オーディオ成分の該聴覚表示と同時に、該少なくとも２つのオーディオ出力デバイスの別の１つにて該番組ガイドを聴覚表示する手段とを備える、システムが提供され、これにより、上記目的が達成される。
【００１２】
前記番組ガイドを抽出する手段と、該番組ガイドのテキスト表現を取得するために、該抽出された番組ガイドをデコードする手段と、該番組ガイドを聴覚表示する前に、該番組ガイドの該テキスト表現をオーディオフォーマットに変換する手段とをさらに備えていてもよい。
【００１３】
前記少なくとも２つのオーディオ出力デバイスの別の１つは、ワイヤレスインターフェース手段を備え、前記システムは、前記番組ガイドを該少なくとも２つのオーディオ出力デバイスの別の１つにワイヤレスで送信する手段をさらに備えていてもよい。
【００１４】
前記少なくとも２つのオーディオ出力デバイスの１つにて聴覚表示するために、前記オーディオ成分および前記番組ガイドの一方を選択する手段と、該少なくとも２つのオーディオ出力デバイスの別の１つにて聴覚表示するために、該オーディオ成分および該番組ガイドのもう一方を選択する手段とをさらに備えていてもよい。
【００１５】
前記番組は、ビデオ成分をさらに有し、前記システムは、前記オーディオ成分および前記番組ガイドの聴覚表示と同時にビデオ出力デバイスにて該ビデオ成分を視覚表示する手段をさらに備えていてもよい。
【００１６】
本発明により、番組ガイドコンテンツを表示する装置であって、該装置は、番組ガイドおよびオーディオ成分を受信するように構成された受信器と、該番組ガイドおよび該オーディオ成分を同時に聴覚表示するように構成された少なくとも２つのオーディオ出力デバイスであって、該少なくとも２つのオーディオ出力デバイスは、該受信器に結合するように構成され、これにより、該少なくとも２つのオーディオ出力デバイスの１つは、該番組ガイドおよび該オーディオ成分の一方を聴覚表示し、該少なくとも２つのオーディオ出力デバイスの別の１つは、該番組ガイドおよび該オーディオ成分のもう一方を聴覚表示する、デバイスとを備える、装置が提供され、これにより、上記目的を達成する。
【００１７】
前記受信器は、少なくとも、番組ガイドデータベースと、該番組ガイドデータベースから抽出された情報をデコードして、該番組ガイドのテキスト表現を取得するデコーダと、該番組ガイドの聴覚表示の前に、該番組ガイドの該テキスト表現をオーディオフォーマットに変換するテキスト／音声変換器とを備えていてもよい。
【００１８】
前記少なくとも２つのオーディオ出力デバイスの１つは、少なくともワイヤレスインターフェースを備え、前記受信器は、少なくとも、該ワイヤレスインターフェースを備える該少なくとも２つのオーディオ出力デバイスの１つに該番組ガイドを送信するワイヤレス送信器を備えていてもよい。
【００１９】
前記少なくとも２つのオーディオ出力デバイスの１つは、リモコンであってもよい。
【００２０】
前記受信器は、少なくとも、前記少なくとも２つのオーディオ出力デバイスの１つにて聴覚表示するために、前記オーディオ成分および前記番組ガイドの一方を選択し、かつ、該少なくとも２つのオーディオ出力デバイスの別の１つにて聴覚的に表示するために、該オーディオ成分および該番組ガイドのもう一方を選択する選択信号に応答する選択回路と、該選択信号を生成するスイッチとを備えていてもよい。
【００２１】
前記受信器は、前記オーディオ成分に対応するビデオ成分を受信するようにさらに構成され、前記装置は、該ビデオ成分を該オーディオ成分と同時に視覚表示するビデオ出力デバイスであって、該受信器に結合されるように構成される、ビデオ出力デバイスをさらに備えていてもよい。
【００２２】
前記ビデオ出力デバイス、および前記少なくとも２つのオーディオ出力デバイスの１つは、共通のハウジングと物理的に結合され、該少なくとも２つのオーディオ出力デバイスの別の１つは、リモートハウジングと物理的に結合されていてもよい。
【００２３】
本発明により、番組ガイドコンテンツを表示する装置であって、該装置は、番組ガイド、およびオーディオ成分とビデオ成分とを有する番組を受信するように構成された受信器と、該番組ガイドおよび該オーディオ成分を同時に聴覚表示するように構成された少なくとも２つのオーディオ出力デバイスであって、該少なくとも２つのオーディオ出力デバイスは、該受信器に結合するように構成され、これにより、該少なくとも２つのオーディオ出力デバイスの１つは、該番組ガイドおよび該オーディオ成分の一方を聴覚表示し、該少なくとも２つのオーディオ出力デバイスの別の１つは、該番組ガイドおよび該オーディオ成分のもう一方を聴覚表示する、デバイスと、該ビデオ成分を該オーディオ成分と同時に視覚表示するように構成されたビデオ出力デバイスであって、該受信器に結合するように構成される、ビデオ出力デバイスとを備える、装置が提供され、これにより、上記目的を達成する。
【００２４】
前記受信器は、少なくとも、前記少なくとも２つのオーディオ出力デバイスの１つにて聴覚表示するために、前記オーディオ成分および前記番組ガイドの一方を選択し、かつ、該少なくとも２つのオーディオ出力デバイスの別の１つにて聴覚表示するために、該オーディオ成分および該番組ガイドのもう一方を選択する選択信号に応答する選択回路と、該選択信号を生成するスイッチとを備えていてもよい。
【００２５】
前記受信器は、少なくとも、ＶＢＩ、帯域外チャネル、電話線、またはインターネットのいずれかから前記番組ガイドを抽出する回路と、該番組ガイドのテキスト表現を取得するために、該抽出された番組ガイドをデコードする、デコーダと、該番組ガイドを聴覚表示する前に、該番組ガイドの該テキスト表現をオーディオフォーマットに変換するテキスト／音声変換器とを備えていてもよい。
【００２６】
本発明により、番組ガイドコンテンツを表示する装置であって、該装置は、番組ガイド、およびオーディオ成分とビデオ成分とを有する番組を受信するように構成された受信器と、第１の選択信号に応答する複数のオーディオデバイスであって、該複数のオーディオデバイスのうちの少なくとも１つは、選択的に、該番組ガイドを聴覚表示するように構成され、該複数のオーディオデバイスのうちの少なくとも別の１つは、選択的に、該オーディオ成分を聴覚表示するように構成され、該番組ガイドおよび該オーディオ成分は、該複数のオーディオデバイスの各々から同時に聴覚表示され得る、複数のオーディオデバイスと、第２の選択信号に応答するビデオデバイスであって、該ビデオデバイスは、該ビデオ成分を該オーディオ成分と同時に視覚表示するように構成され、かつ、選択的に、該番組ガイドを視覚表示するように構成される、ビデオデバイスと、該第１および該第２の選択信号を生成して、これにより、該番組ガイドは、複数のオーディオデバイスのうちの少なくとも１つのみ、該ビデオデバイスのみ、あるいは、該複数のオーディオデバイスのうちの少なくとも１つおよび該ビデオデバイスの両方から表示される、選択回路と、該制御信号を生成するスイッチとを備える、装置であり、これにより、上記目的を達成する。
【００２７】
（要旨）
本発明は、番組ガイドコンテンツを聴覚表示する方法、装置、およびシステムを提供する。本発明は、あるオーディオ出力デバイスにて番組ガイドを聴覚表示し、かつ、別のオーディオ出力デバイスにて番組のオーディオ成分を聴覚表示することによって、上述の必要を満たす。あるオーディオ出力デバイスにて番組ガイドを、および、別のオーディオ出力デバイスにてオーディオ成分を表示することによって、他の視聴者が楽しむ番組のオーディオまたはビデオ成分を混乱させることなく、番組ガイドをリクエストする視聴者に番組ガイドが聴覚表示され得る。従って、番組ガイドの表示は、これらの他の視聴者の視聴の楽しみを減退させない。
【００２８】
この方法は、番組ガイド、およびオーディオ成分を有する番組を受信器にて受信するステップと、オーディオ成分を少なくとも２つのオーディオ出力デバイスの１つにて聴覚表示するステップと、オーディオ成分の聴覚表示と同時に、番組ガイドを少なくとも２つのオーディオ出力デバイスの別の１つにて聴覚表示するステップとを包含する。
【００２９】
このシステムは、番組ガイド、およびオーディオ成分を有する番組を受信器にて受信する手段と、オーディオ成分を少なくとも２つのオーディオ出力デバイスの１つにて聴覚表示する手段と、オーディオ成分の聴覚表示と同時に、番組ガイドを少なくとも２つのオーディオ出力デバイスの別の１つにて聴覚表示する手段とを備える。
【００３０】
この装置は、番組ガイドおよびオーディオ成分を受信するように構成された受信器と、番組ガイドおよびオーディオ成分を同時に聴覚表示するように構成された少なくとも２つのオーディオ出力デバイスとを備える。少なくとも２つのオーディオ出力デバイスは、受信器に結合するように構成され、これにより、少なくとも２つのオーディオ出力デバイスの１つは、番組ガイドおよびオーディオ成分の一方を聴覚表示し、少なくとも２つのオーディオ出力デバイスの別の１つは、番組ガイドおよびオーディオ成分のもう一方を聴覚表示する。
【００３１】
本発明は、以下の詳細な説明が添付の図面と共に読まれた場合、最良に理解され、同じ要素は、同じ参照符号を有する。ここで、慣例により、図面の種々の特徴が縮尺どおりに描かれないことを強調する。対照的に、明瞭化のために、種々の特徴の寸法が任意に拡大または縮小される。
【発明の効果】
【００３２】
あるオーディオ出力デバイス、および別のオーディオ出力デバイスにて、番組ガイドの
オーディオ成分を表示することによって、他の視聴者が楽しむ番組のオーディオまたはビデオ成分を混乱させることなく、番組ガイドをリクエストする視聴者に番組ガイドが聴覚表示され得る。従って、番組ガイドの表示は、これらの他の視聴者の視聴の楽しみを減退させない。
【発明を実施するための最良の形態】
【００３３】
（発明の詳細な説明）
図１は、本発明のある局面による、番組ガイドコンテンツを聴覚表示する例示的装置１００を示す。通常、装置１００は、信号ソース１０４から受信された番組および番組ガイド信号を処理する受信器１０２、受信器１０２によって処理された番組のオーディオ成分、または番組ガイドを聴覚表示する主要出力デバイス１０６、ならびに受信器１０２によって処理されたオーディオ成分、または番組ガイドのもう一方を聴覚表示する補助オーディオ出力デバイス１０８を備える。装置１００は、ここで、詳細に記載される。
【００３４】
プロセッサ１１０は、受信器１０２を制御する。例示的実施形態において、プロセッサ１１０は、受信器１０２を通じて信号フローを制御する。さらに、特定の例示的実施形態において、プロセッサ１１０は、受信器１０２において示される１つ以上のブロックの機能を実行し得る。プロセッサ１１０と、図１の受信器１０２に示される個々のブロックとの間の接続線は、混乱を避けるために省略される。プロセッサは、従来のマイクロコントローラ、マイクロプロセッサ、またはデジタル信号プロセッサであり得、本発明において使用するために適切なプロセッサは、信号処理分野の当業者に即座に分かる。
【００３５】
信号ソース１０４は、番組信号および番組ガイド信号を受信器１０２に供給する。例示的実施形態において、番組信号は、ブロードキャスト、衛星、またはケーブルテレビシステム、パーソナルビデオレコーダ（ＰＶＲ）、またはデジタル多用途ディスク（ＤＶＤ）プレーヤ等の信号ソース１０４から受信されたテレビ信号等のオーディオ成分およびビデオ成分を有するオーディオ／ビデオ信号である。これに代わる例示的実施形態において、番組信号は、コンパクトディスク（ＣＤ）プレーヤ、またはＭＰＥＧ−１  レイヤーＩＩＩ（ＭＰ３）プレーヤ等の信号ソース１０４から受信されたオーディオ成分を有するオーディオ信号である。
【００３６】
番組ガイド信号は、テレビ放映予定情報（例えば、ＥＰＧ信号）、あるいはＤＶＤ、ＣＤ、ＭＰ３、ＰＶＲもしくは他のこのようなデバイス上またはこれらの中の媒体または内蔵データベースのコンテンツ等の番組コンテンツを表す信号である。特定の例示的実施形態において、番組ガイド信号は、番組信号と同じ信号ソース１０４によって供給される。他の例示的実施形態において、別個の信号ソース（破線１１２によって表される）が番組ガイド信号を供給する。番組ガイド信号は、番組のＶＢＩ、帯域外チャネル、電話線、インターネット、または、信号送信をサポートすることができる任意の実質的にワイヤドまたはワイヤレス接続ケーブルを含む、種々の信号送信手段を通じて供給され得る。
【００３７】
受信器１０２は、処理するための番組信号および番組ガイド信号を受信する。番組信号および番組ガイド信号が共通の信号を通じて搬送される実施形態において、番組信号および番組ガイド信号が搬送デコーダ１１４に印加される。この実施形態によると、搬送デコーダ１１４は、共通の信号を解析し、番組信号および番組ガイド信号を分離し、かつ、番組信号を複数の成分に分離する（例えば、オーディオ成分およびビデオ成分）。搬送デコーダ１１４は、その後、分離された信号をさらに処理するためにルーティングする。示された実施形態において、搬送デコーダ１１４は、番組ガイド信号を番組ガイド抽出器１１６にルーティングし、オーディオ成分をオーディオデコーダ１１８にルーティングし、かつ、ビデオ信号をビデオデコーダ１２０にルーティングする。
【００３８】
番組ガイド抽出器１１６は、番組ガイドを番組ガイド信号から抽出する。番組信号および番組ガイド信号が別々の信号を通じて搬送される実施形態において、番組ガイド信号は、番組ガイド抽出器１１６に直接印加される（破線１２２によって表される）。これらの実施形態によると、番組ガイド抽出器１１６と搬送デコーダ１１４との間の接続は除去される。例示的実施形態において、番組ガイドは、ＭＰＥＧデータストリーム内に含まれ、番組ガイド抽出器は、当業者に周知の従来のＭＰＥＧ処理技術を用いて番組ガイドを抽出する。
【００３９】
抽出された番組ガイドは、番組ガイドデータベース１２４に格納される。例示的実施形態において、抽出された番組ガイドは、テキストフォーマットで格納される。特定の例示的実施形態において、番組ガイドは、所定の時間に、受信器１０２によって取得される。例えば、受信器１０２は、受信器１０２が、例えば、深夜または早朝等の、使用されない時間に番組ガイドを受信するように設定され得る。番組ガイドが、受信されたチャネルのＶＢＩにおいて常時存在するようなこれに代わる実施形態において、番組ガイドデータベース１２４は、連続的に更新され得る。別の代替的な例示的実施形態において、番組ガイドは、実質的に「オンデマンド」で利用可能であり、これにより、番組ガイドデータベース１２４の必要を無くす。番組ガイドデータベース１２４のメモリ要件が、例えば、格納されたコンテンツ、チャネルの数、および格納される期間を含む、複数のファクタに依存することは、当業者には明らかである。
【００４０】
番組ガイドデコーダ１２６は、ユーザに表示するための番組ガイドをデコードする。例示的実施形態において、番組ガイドデコーダ１２６は、番組ガイドをデコードして、ユーザにとってより意味のある情報を取得する。例えば、デコードする前に、番組情報は、「０３００１０７３０２０８００２００１ＦＡＭＩＬＹ  ＦＵＥＤ」といった英数字の圧縮された文字列であり得、ここで、最初の５文字は、ユリウス日（例えば、２００３年１月１日）を表し、次の５文字は、開始時間を表し、開始時間を表す５文字のうちの５番目の文字は、１＝ＡＭまたは２＝ＰＭ（例えば、７：３０ＰＭ）を表し、次の５文字は、終了時間（例えば、８：００ＰＭ）を表し、次の３文字は、チャネルを表し、残りの文字は、ショーのタイトルを表す。この例において、現在、２００３年１月１日の午後６時であると仮定すると、番組ガイドデコーダ１２６は、上記の英数字を「Ｔｏｎｉｇｈｔ  ａｔ  ７：３０ＰＭ  ｏｎ  ｃｈａｎｎｅｌ１−Ｆａｍｉｌｙ  Ｆｅｕｄ  ｗｉｔｈ  ａ  ｒｕｎｔｉｍｅ  ｏｆ  ３０  ｍｉｎｕｔｅｓ」としてデコードし得る。
【００４１】
デコードされた番組ガイドは、変換器１２８に加えられる。変換器１２８は、番組ガイドをオーディオ信号に変換する。例示的実施形態において、変換器１２８は、テキスト／音声変換器である。適切なテキスト／音声変換器は、Ｒｉｃｈａｒｄらによる「ＥＬＥＣＴＲＯＮＩＣ  ＮＥＷＳ  ＲＥＣＥＰＴＩＯＮ  ＡＰＰＲＡＴＵＳ  ＴＨＡＴ  ＳＥＬＥＣＴＩＶＥＬＹ  ＲＥＴＡＩＮＳ  ＳＥＣＴＩＯＮＳ  ＡＮＤ  ＳＥＡＲＣＨＥＳ  ＢＹ  ＫＥＹＷＯＲＤ  ＯＲ  ＩＮＤＥＸ  ＦＯＲ  ＴＥＸＴ  ＴＯ  ＳＰＥＥＣＨ  ＣＯＮＶＥＲＳＩＯＮ」と称される、本出願と同一人に譲渡された、米国特許第５，９２４，０６８号に記載される。特定の例示的実施形態において、番組ガイドは、適切なオーディオフォーマットで受信器１０２にて受信され、これにより、番組ガイドデコーダ１２６および変換器１２８の必要を無くす。
【００４２】
オーディオデコーダ１１８は、搬送デコーダ１１４からのオーディオ成分をオーディオ信号にデコードする。例示的実施形態において、オーディオデコーダ１１８は、従来のＡＣ３オーディオデコーダである。
【００４３】
セレクタ１３０は、変換器１２８およびオーディオデコーダ１１８からオーディオ信号をルーティングする。例示的実施形態において、セレクタ１３０は、変換器１２８およびオーディオデコーダ１１８からのオーディオ信号のいずれが、主要オーディオドライバ１３４に渡され、かつ、いずれが補助オーディオドライバ１３６に渡されるかを選択する。示された実施形態において、セレクタ１３０は、第１のマルチプレクサ１３２および第２のマルチプレクサ１３３を備える。セレクタ１２８は、選択信号に応答する。例示的実施形態において、プロセッサ１１０は、セレクタ１３０を設定するための選択信号を生成するスイッチとして機能する。
【００４４】
ある例示的実施形態において、セレクタ１３０は、選択信号に応答する４つのモードのうちの１つで設定される。第１のモードで、第１のマルチプレクサ１３２は、オーディオ成分をオーディオデコーダ１１８から主要オーディオドライバ１３４に渡し、第２のマルチプレクサ１３３は、変換された番組ガイドを変換器１２８から補助オーディオドライバ１３６に渡す。第２のモードで、第１のマルチプレクサ１３２は、変換された番組ガイドを主要オーディオドライバ１３４に渡し、第２のマルチプレクサ１３３は、オーディオ成分を補助オーディオドライバ１３６に渡す。第３のモードで、第１のマルチプレクサ１３２および第２のマルチプレクサ１３３の両方は、オーディオ成分を主要オーディオドライバ１３４および補助オーディオドライバ１３６にそれぞれ渡す。第４のモードで、第１のマルチプレクサ１３２および第２のマルチプレクサ１３３は、変換された番組ガイドを主要オーディオドライバ１３４および補助オーディオドライバ１３６にそれぞれ渡す。
【００４５】
主要オーディオドライバ１３４および補助オーディオドライバ１３６は、オーディオ出力デバイスに聴覚表示するために、セレクタ１３０から受信されたそれぞれのオーディオ信号を設定する。示された実施形態において、主要オーディオドライバ１３４は、主要出力デバイス１０６内の主要オーディオ出力デバイス１４０、例えば、スピーカに結合され、補助オーディオ受信器は、補助オーディオ出力デバイス１０８に結合される。示された実施形態において、補助オーディオドライバ１３６は、ワイヤレス送信器１４２を備え、補助オーディオ出力デバイス１０８は、ワイヤレスインターフェース１３８を備え、これにより、受信器１０２が、ワイヤレスで補助オーディオ出力デバイス１０８に結合することを可能にする。これに代わる実施形態において、補助オーディオ出力１０８は、有線接続を用いて補助オーディオドライバに結合され、これにより、ワイヤレス送信器１４２およびワイヤレスインターフェース１３８の必要を無くす。主要および補助オーディオドライバ１３４、１３６が、受信器１０２、これらのオーディオドライバのそれぞれのオーディオ出力デバイス１４０、１０８、または、これらの間に存在してもよいことが、当業者に即座に分かる。主要および／または補助オーディオ出力デバイス１０６、１０８は、受信器１０２と一体化されてもよい。
【００４６】
例示的実施形態において、補助オーディオ出力デバイス１０８は、リモコンのハウジングと物理的に結合される（図２を参照）。これに代わる例示的実施形態において、補助オーディオ出力デバイスは、ワイヤドデバイス、またはワイヤレスハンドセット等のワイヤレスデバイスである。補助オーディオ出力デバイス１０８の設定についての種々の代替的実施形態が、当業者に即座に分かり、本発明の範囲内で考慮される。
【００４７】
特定の例示的実施形態において、デコードされた番組ガイドは、さらに、グラフィックプロセッサ１４２に渡される。グラフィックプロセッサ１４２は、デコードされた番組ガイドを処理して、視覚ディスプレイ用の番組ガイドビデオ信号を生成する。グラフィックプロセッサ１４２は、公知の「オンスクリーン（ｏｎ−ｓｃｒｅｅｎ）」ディスプレイプロセッサ等の従来のグラフィックプロセッサであり得る。
【００４８】
ミキサ１４４は、グラフィックプロセッサ１４２およびビデオデコーダ１２０からのビデオ信号をミキシングする。例示的実施形態において、番組ガイドは、番組と関連したビデオ成分の少なくとも一部分を重ね合わせる。特定の例示的実施形態において、セレクタ１３０は、ミキサ１４４を備える。この実施形態によると、セレクタ１３０は、（例えば）プロセッサ１１０によって生成された選択信号に応答する番組ガイドを視覚表示するように、ミキサ１３０を選択的に設定する。特定の例示的実施形態において、番組ガイドは、抑制され、従って、表示されない。特定の他の例示的実施形態において、番組ガイドは、視覚表示されず、従って、グラフィックプロセッサ１４２およびミキサ１４４の必要を無くす。
【００４９】
ビデオドライバ１４６は、従来のビデオディスプレイ等のビデオ出力デバイスを駆動する公知の態様で、ミキシングされたビデオ信号を処理する。示された実施形態において、ビデオドライバ１２６は、例えば、テレビディスプレイ等の主要ビデオ出力デバイス１４８に結合される。ビデオドライバ１２６は、受信器１０２、ビデオ出力デバイス１０６、またはこれらの間に存在してもよいことが当業者に即座に分かる。主要ビデオ出力デバイス１４８は、受信器１０２と一体化されてもよい。
【００５０】
ワイヤレスインターフェース１５０は、受信器が、例えば、リモコン等の他のワイヤレスデバイスと通信することを可能にする受信器１０２に対して、ワイヤレス接続ポイントを提供する。ワイヤレスインターフェース１５０は、赤外線、無線、および／または他のこのような信号媒体を用いて通信し得る。
【００５１】
図２は、リモコン２００を示す。示されたリモコン２００は、補助オーディオ出力デバイス１０８、および、例えば、ワイヤレスインターフェース１５０（図１）を通じて、受信器１０２（図１）とワイヤレス通信するためのワイヤレスインターフェース２０２を備える。これに代わる実施形態において、リモコン２００は、受信器１０２に有線接続され、これにより、ワイヤレスインターフェース２０２の必要を無くす。示された実施形態において、補助オーディオ出力デバイス１０８は、リモコン２００のハウジング２０４に結合される。示されたリモコン２００は、本発明の特定の実施形態によると、番組ガイドの聴覚表示を呼び出すためのオーディオガイド（ＡＧ）キー２０６、ならびに聴覚番組ガイドをナビゲートするための「選択キー」２０７、キーパッド２０８、および矢印キー２１０をさらに備える。さらに、示されたリモコン２００は、本発明の特定の他の例示的実施形態によると、ユーザから聴覚ナビゲーション命令を受信するためのマイクロホン２１２をさらに備える。
【００５２】
図３は、本発明の例示的実施形態による、聴覚番組ガイドのセットアップおよびナビゲーションと関連したステップを説明する際に用いるフローチャート３００を示す。ブロック３０２にて、設定モードが選択される。例えば、ユーザがリモコン上のオーディオガイドキー２０６（図２）等の番組ガイドキーを押した場合、設定モードが選択される。特定の例示的実施形態において、この設定モードは、番組ガイドが始めてアクセスされた時に選択され、その後、所定の期間内に番組ガイドキーを２回押す等の、特定のシーケンスのキーストロークに応答して選択される。設定モードがアクセスされた場合、処理は、システムのオーディオおよびビデオ局面をそれぞれ設定するブロック３０４および３０６に進む。
【００５３】
ブロック３０４にて、番組ガイドのオーディオ部分が設定される。例示的実施形態において、例えば、ボイス等の聴覚命令が、ユーザに「オーディオの選択」を促す。オーディオシステムが、４つの動作モードを有する主要オーディオ出力デバイスおよび補助オーディオ出力デバイスを有すると仮定すると、ユーザは、例えば、最初に「オーディオ補助？」と聞き得る。第２に、ユーザは「オーディオ主要？」と聞き得る。第３に、ユーザは「補助および主要の両方？」と聞き得る。第４に、ユーザは「オーディオオフ？」と聞き得る。ユーザは、例えば、特定の設定モードの通知が聞こえた直後に選択キー２０７（図２）を押すことにより、リモコン２００（図２）等の選択デバイスを用いて、モードの１つを選択し得る。選択された設定は、再び通知され、これにより、ユーザの選択を確認し得る。第１のモードが選択された場合、番組ガイドは、補助オーディオ出力デバイスのみから聴覚表示される。第２のモードが選択された場合、番組ガイドは、主要オーディオ出力デバイスのみから聴覚表示される。第３のモードが選択された場合、番組ガイドは、補助および主要オーディオ出力デバイスの両方から聴覚表示される。第４のモードが選択された場合、番組ガイドは、どちらのオーディオ出力デバイスからも表示されない。
【００５４】
ブロック３０６にて、番組ガイドのビデオ部分が設定される。例示的実施形態において、ボイス等の聴覚命令は、ユーザに「ビデオの選択」を促す。１つのビデオ出力デバイスが２つの動作モードを有すると仮定すると、ユーザは、例えば、最初に「ビデオオン？」と聞き得る。第２に、ユーザは「ビデオオフ？」と聞き得る。リモコン２００（図２）等の選択デバイスを用いて、ユーザは、特定の設定の通知が聞こえた直後に選択キー２０７を押すことによって、第１または第２の設定を選択し得る。選択された設定が再び通知され、これにより、ユーザの選択を確認し得る。その後、処理は、ブロック３０８に進む。
【００５５】
特定の例示的実施形態において、システムは、番組ガイド情報を表示するデフォルト設定を有する。例えば、システムは、最初に、すべてのオーディオ出力デバイスにて番組ガイドを聴覚表示し、かつ、ビデオ出力デバイスにて番組ガイドを視覚表示するように設定され得、これは、システムの初期設定および後の再設定の間にユーザが更新し得る。
【００５６】
ブロック３０８にて、ブロック３０６のビデオ設定の後、または、番組ガイド信号が初期設定の後で受信された場合、処理は、ブロック３１０に進み、ユーザがリモコン等の選択デバイスを用いて番組ガイドコンテンツを通じてナビゲートすることを可能にする。例示的実施形態において、番組ガイドコンテンツを通じてナビゲートするために、いくつかのオプションのうちの１つが選択され得る。オプションは、現在時刻、日付、検索、または他のオプションを含み得る。このオプションは、シーケンス間の休止と共に、ユーザに順々に表示され得る。例えば、ユーザは、最初、「現在時刻？」と聞き得る。ユーザは、リモコン上の選択キー２０７（図２）を押すことによって、現在時刻オプションを選択し得る。オーディオは、１０：００ｐ．ｍ．（短い休止）、チャネル２−ＣＮＮ  Ｌａｒｒｙ  Ｋｉｎｇ  Ｌｉｖｅ（短い休止）、チャネル３−Ｆｏｘ  Ｂａｓｅｂａｌｌ、Ｒｅｄ  Ｓｏｘ  ｖｓ．Ｙａｎｋｅｅｓ（短い休止）、チャネル４−（等）を通知し得る。従って、オーディオは、午後１０時に提供されるすべての番組を順番に並べ得る。次に、オーディオは、午後１０時３０分（等）に提供されるすべての番組を順番に並べ得る。ユーザは、チャネルの通知または続く短い休止の間に選択キー２０７を押すことによって、チャネルを選択し得る。
【００５７】
ユーザは、リモコン上の（例えば）矢印キーを押すだけで任意の時間にこのシーケンスを中断し得る。ユーザによる中断なしに、番組ガイドは、午後１０時から１０時３０分まで、その後、午後１１時まで等を含む、オファーのリストが完成するまで視聴のすべての可能性を連続的に通知し続け得る。上矢印キーを押して、ユーザは、番組ガイドがオーディオ出力を中断することを命令し得る。上矢印を再び押すと、番組ガイドは、中断の場所を受けて、オーディオ出力を再開するよう命令され得る。
【００５８】
ユーザは、上矢印キーを２回連続してすばやく押すことによって、オーディオ出力がスキップし、次のタイムスロット（例えば、午後１０時３０分）に開始するように命令し得る。ユーザは、上矢印キーを３回連続してすばやく押すことによって、オーディオ出力が次の日の日付で開始するように命令し得る。少しの休止の後、ボイスが、その日、その時間およびそのチャネルで利用可能なオファーのリストを通知し続け得る。
【００５９】
ユーザは、下矢印キーを２回連続してか、または３回連続してすばやく押すことによって、オーディオ出力が前のタイムスロットか、または前日の日付で開始することをそれぞれ命令し得る。
【００６０】
ユーザは、最初、「現在時刻？」が聞こえた後、「日付？」が聞こえ得る。ユーザは、リモコン上の選択キー２０７（図２）を押すことによって、日付オプションを選択し得る。オーディオは、その後、特定の日付および時刻に開始する視聴の可能性の通知を開始し得る。例えば、オーディオ出力は、１０月１日、午後１０時（短い休止）、チャネル２−ＣＮＮ  Ｌａｒｒｙ  Ｋｉｎｇ  Ｌｉｖｅ（短い休止）、チャネル３−映画、Ｄｒａｃｕｌａ  Ｍｅｅｔｓ  Ｊｅｒｒｙ  Ｓｐｒｉｎｇｅｒ（短い休止）、チャネル４−（等）を通知し得る。ユーザは、番組ガイドコンテンツを通じてナビゲートし続け得、現在時刻のオプションについての記載と同様の態様でチャネルを選択し得る。
【００６１】
上述の例から、他のナビゲーションのオプション、例えば、サーチオプションの実装は、当業者に即座に分かる。ブロック３０２〜３１０を参照した上述のステップは、所望の実装により多様であり得る。
【００６２】
図１に戻って参照して、例示的実施形態において、装置１００（図１）は、ビデオ出力デバイス１４８上で視覚的に、主要オーディオ出力デバイス１４０上で聴覚的に補助オーディオ出力デバイス１０８上で聴覚的に、または、これらの組み合わせにより、番組ガイドコンテンツを表示することができる。
【００６３】
例示的使用において、第１の視聴者および第２の視聴者は、ビデオ成分およびオーディオ成分を有するビデオ番組を視聴する。両方の視聴者は、テレビ等のビデオ出力デバイス１４８上でビデオ成分を視聴する。第１の視聴者は、例えば、テレビに結合されたスピーカのペア等の主要オーディオ出力デバイス上のビデオ成分に対応するオーディオ成分を聴く。第２の視聴者は、（補助オーディオ出力デバイス上のみの聴覚表示だけが予め設定された）番組ガイドをリクエストし、ワイヤレスヘッドセット等の補助オーディオ出力デバイス１０８上で番組ガイドを聴く。第２の視聴者は、その後、（例えば）リモコンを用いて番組ガイドを通じてナビゲートし得る。従って、第２の視聴者は、第１の視聴者に表示された番組のオーディオ成分またはビデオ成分を混乱させることなく、番組ガイドを受信し、これを通じて聴覚的にナビゲートし得る。さらに、この例示的使用は、視覚障害を持つ視聴者が、テレビチャネルをブラウズする間、より自立することを助けるというさらなる有利な点を有する。
【００６４】
これに代わる例示的使用において、第１のリスナーおよび第２のリスナーは、コンパクトディスク（ＣＤ）プレーヤで再生するＣＤからのオーディオ成分を聞く。第１のリスナーは、テレビに結合されたスピーカのペア等の主要オーディオ出力デバイスでオーディオ成分を聴く。第２のリスナーは、（補助オーディオ出力デバイス上のみの聴覚表示だけが事前に設定された）番組ガイドをリクエストし、かつ、ワイヤレスヘッドセット等の補助オーディオ出力デバイス１０８上で番組ガイドを聴く。従って、第２のリスナーは、第１のリスナーに表示されたオーディオ成分を混乱させることなく、番組ガイドを聴覚的に受信し得る。さらに、番組および番組ガイドは、両方とも聴覚表示されるので、番組および番組ガイドは、ビデオディスプレイを使用することなく提供され得る。
（要約）
本発明において、番組ガイドコンテンツをオーディオフォーマットで表示する方法、装置、およびシステムが開示される。番組ガイドコンテンツは、番組ガイド、およびオーディオ成分を有する番組を受信し、少なくとも２つのオーディオ出力デバイスの１つにてオーディオ成分を聴覚表示し、かつ、オーディオ成分の聴覚表示と並行して、少なくとも２つのオーディオ出力の別の１つにて番組ガイドを聴覚表示することによって表示される。
【００６５】
以上のように、本発明の特定の実施形態が詳細に示され、かつ記載されたが、改造および改変は、当業者に明らかである。本発明は、この実施形態に限定して解釈されるべきものではない。本発明のこのような改造および改変は、上述の請求項に記載される本発明の範囲から逸脱することなくなされ得る。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６６】
【図１】図１は、本発明のある局面の例示的実施形態による、番組ガイドコンテンツを聴覚表示する装置のブロック図である。
【図２】図２は、図１の装置と共に用いるためのリモートコントロールデバイスのブロック図である。
【図３】図３は、本発明の例示的実施形態のある局面による、聴覚番組ガイドを設定およびナビゲートする例示的方法を示すフローチャートである。
【符号の説明】
【００６７】
１００  装置
１０２  受信器
１０４  信号
１０６  主要出力デバイス
１０８  補助オーディオ出力デバイス
１１０  プロセッサ
１１２  ソース
１１４  搬送デコーダ
１１６  番組ガイド抽出器
１１８  オーディオデコーダ
１２０  ビデオデコーダ
１２２  破線
１２４  番組ガイドデータベース
１２６  番組ガイドデコーダ
１２８  テキスト／オーディオ変換機
１３０  セレクタ
１３２  第１のマルチプレクサ
１３３  第２のマルチプレクサ
１３４  主要オーディオドライバ
１３６  補助オーディオドライバ
１３８  ワイヤレスインターフェース
１４０  主要オーディオ出力デバイス
１４２  グラフィックプロセッサ、ワイヤレス送信器
１４４  ミキサ
１４６  ビデオドライバ
１４８  主要ビデオ出力デバイス
１５０  ワイヤレスインターフェース
２００  リモコン
２０２  ワイヤレスインターフェース
２０４  ハウジング
２０６  オーディオガイドキー
２０７  選択キー
２１０  キーパッド
２１２  矢印キー
【図１】
2004297799.tif 000003
【図２】
2004297799.tif 000004
【図３】
2004297799.tif 000005